(57)【要約】【課題】ユーザが立ったり歩いたりするときに、体重を足部へ均等に分散させ、好ましくない姿勢による不具合を防ぐ、足部平衡装置を提供する。【解決手段】足部平衡装置は、インソール本体１０、メイン平衡部材２０、第１の力量変位補助部材３１、第２の力量変位補助部材３２、第１の補助平衡部材４１、第３の力量変位補助部材３３、第２の補助平衡部材４２及び第３の補助平衡部材４３を備える。インソール本体１０は、足部接触面１１及び設置面１２を有し、長手方向に前足領域１３、中足領域１４及び後足領域１５が順次形成されている。メイン平衡部材２０は、突出部として成形されて中足領域１４に配設され、ユーザの前足部及び後足部がインソール本体１０上の梃子支点として用いられる。第１の力量変位補助部材３１は、突出部として成形されて中足領域１４に配設され、メイン平衡部材２０に隣接するように後足領域１５側に位置する。【選択図】図１
2016140765.tif 000002
【特許請求の範囲】
【請求項１】
インソール本体、メイン平衡部材、第１の力量変位補助部材、第２の力量変位補助部材、第１の補助平衡部材、第３の力量変位補助部材、第２の補助平衡部材及び第３の補助平衡部材を備えた足部平衡装置であって、
前記インソール本体は、足部接触面及び設置面を有し、長手方向に前足領域、中足領域及び後足領域が順次形成されており、
前記メイン平衡部材は、突出部として成形されて前記中足領域に配設され、ユーザの前足部及び後足部が前記インソール本体上の梃子支点として用いられ、
前記第１の力量変位補助部材は、突出部として成形されて前記中足領域に配設され、前記メイン平衡部材に隣接するように前記後足領域側に位置し、
前記第２の力量変位補助部材は、突出部として成形されて前記中足領域に配設され、前記メイン平衡部材と前記第１の力量変位補助部材とを結ぶ線上に位置し、
前記第１の補助平衡部材は、突出部として成形されて前記中足領域に配設され、前記メイン平衡部材に隣接するように設けられてユーザの横方向の前記中足部を支え、
前記第３の力量変位補助部材は、突出部として成形されて前記中足領域に配設され、前記第１の補助平衡部材と前記メイン平衡部材との間に位置し、
前記第２の補助平衡部材は、突出部として成形されて前記中足領域に配設され、前記メイン平衡部材の一方側に位置してユーザの内側の前記中足部を支え、
前記第３の補助平衡部材は、突出部として成形されて前記中足領域に配設され、前記メイン平衡部材の他方側に位置してユーザの外側の前記中足部を支えることを特徴とする足部平衡装置。
【請求項２】
前記メイン平衡部材は、前記インソール本体の第１中足骨点、第５中足骨点、踵点間の幾何学的中心に位置し、
前記第１中足骨点は、ユーザの第１中足骨の位置に対応し、
前記第５中足骨点は、ユーザの第５中足骨の位置に対応し、
前記踵点は、ユーザの後足部の位置に対応することを特徴とする請求項１に記載の足部平衡装置。
【請求項３】
前記メイン平衡部材は、前記足部接触面又は前記設置面上に配設されることを特徴とする請求項２に記載の足部平衡装置。
【請求項４】
前記メイン平衡部材と、前記第１の力量変位補助部材、前記第２の力量変位補助部材、前記第１の補助平衡部材、前記第３の力量変位補助部材、前記第２の補助平衡部材及び前記第３の補助平衡部材との間には、接続部材がそれぞれ配設され、
前記接続部材により前記メイン平衡部材と、前記第１の力量変位補助部材、前記第２の力量変位補助部材、前記第１の補助平衡部材、前記第３の力量変位補助部材、前記第２の補助平衡部材及び前記第３の補助平衡部材とが接続されて一体化されることを特徴とする請求項３に記載の足部平衡装置。
【請求項５】
インソール本体及びメイン平衡部材を備えた足部平衡装置であって、
前記インソール本体は、足部接触面及び設置面を有し、長手方向に前足領域、中足領域及び後足領域が順次形成されており、
前記メイン平衡部材は、突出部として成形されて前記中足領域に配設され、ユーザの前足部及び後足部が前記インソール本体上の梃子支点として用いられることを特徴とする足部平衡装置。
【請求項６】
前記メイン平衡部材は、前記インソール本体の第１中足骨点、第５中足骨点、踵点間の幾何学的中心に位置し、
前記第１中足骨点は、ユーザの第１中足骨の位置に対応し、
前記第５中足骨点は、ユーザの第５中足骨の位置に対応し、
前記踵点は、ユーザの後足部の位置に対応することを特徴とする請求項５に記載の足部平衡装置。
【請求項７】
前記メイン平衡部材は、前記足部接触面又は前記設置面上に配設されることを特徴とする請求項６に記載の足部平衡装置。
【請求項８】
第１の力量変位補助部材及び第１の補助平衡部材を、さらに備え、
前記第１の力量変位補助部材は、突出部として成形されて前記中足領域に配設され、前記メイン平衡部材に隣接するように前記後足領域側に位置し、
前記第１の補助平衡部材は、突出部として成形されて前記メイン平衡部材に隣接するように前記前足領域側に設けられ、ユーザの横方向の前記中足部を支えることを特徴とする請求項７に記載の足部平衡装置。
【請求項９】
前記メイン平衡部材と、前記第１の力量変位補助部材及び前記第１の補助平衡部材との間には、接続部材が配設され、
前記接続部材により前記メイン平衡部材と、前記第１の力量変位補助部材及び前記第１の補助平衡部材とが接続されて一体化されることを特徴とする請求項８に記載の足部平衡装置。
【請求項１０】
２つの補助平衡部材を、さらに備え、
前記２つの補助平衡部材は、突出部として成形されて前記中足領域に配設され、前記メイン平衡部材の左側及び右側にそれぞれ位置してユーザの内側の前記中足部及び外側の前記中足部をそれぞれ支えることを特徴とする請求項７に記載の足部平衡装置。
【請求項１１】
前記メイン平衡部材と前記２つの補助平衡部材とのそれぞれの間には、接続部材が配設され、
前記接続部材により前記メイン平衡部材と前記２つの補助平衡部材とが接続されて一体化されることを特徴とする請求項１０に記載の足部平衡装置。
【請求項１２】
第１の力量変位補助部材、第２の力量変位補助部材、第３の力量変位補助部材及び第１の補助平衡部材を、さらに備え、
前記第１の力量変位補助部材、前記第２の力量変位補助部材、前記第３の力量変位補助部材及び前記第１の補助平衡部材は、突出部として成形されて前記中足領域に配設され、
前記第１の補助平衡部材は、前記メイン平衡部材上方に隣接するように前記前足領域側に設けられ、ユーザの横方向の前記中足部を支え、
前記第１の力量変位補助部材は、前記メイン平衡部材に隣接するように前記後足領域側に位置し、
前記第２の力量変位補助部材は、前記メイン平衡部材と前記第１の力量変位補助部材とを結ぶ線上に位置し、
前記第３の力量変位補助部材は、前記第１の補助平衡部材と前記メイン平衡部材との間に位置することを特徴とする請求項７に記載の足部平衡装置。
【請求項１３】
前記メイン平衡部材と、前記第１の力量変位補助部材、前記第２の力量変位補助部材、前記第３の力量変位補助部材及び前記第１の補助平衡部材との間には、接続部材が配設され、
前記接続部材により前記メイン平衡部材と、前記第１の力量変位補助部材、前記第２の力量変位補助部材、前記第３の力量変位補助部材及び前記第１の補助平衡部材とが接続されて一体化されることを特徴とする請求項１２に記載の足部平衡装置。
【請求項１４】
第１の力量変位補助部材、第１の補助平衡部材、第２の補助平衡部材及び第３の補助平衡部材を、さらに備え、
前記第１の力量変位補助部材、前記第１の補助平衡部材、前記第２の補助平衡部材及び前記第３の補助平衡部材は、突出部として成形されるとともに前記中足領域に配設され、
前記第１の力量変位補助部材は、前記メイン平衡部材に隣接するように前記後足領域側に位置し、
前記第１の補助平衡部材は、前記メイン平衡部材に隣接するように前記前足領域側に設けられてユーザの横方向の前記中足部を支え、
前記第２の補助平衡部材及び前記第３の補助平衡部材は、前記メイン平衡部材の左側および右側にそれぞれ位置してユーザの内側の前記中足部及び外側の前記中足部をそれぞれ支えることを特徴とする請求項７に記載の足部平衡装置。
【請求項１５】
前記メイン平衡部材と、前記第１の力量変位補助部材、前記第１の補助平衡部材、前記第２の補助平衡部材及び前記第３の補助平衡部材との間には、接続部材が配設され、
前記接続部材により前記メイン平衡部材と、前記第１の力量変位補助部材、前記第１の補助平衡部材、前記第２の補助平衡部材及び前記第３の補助平衡部材とが接続されて一体化されることを特徴とする請求項１４に記載の足部平衡装置。
【発明の詳細な説明】
【技術分野】
【０００１】
本発明は、足部平衡装置に関し、特に、ユーザが立ったり歩いたりするときに、体重が足部に均等に分布する足部平衡装置に関する。
【背景技術】
【０００２】
経済の発展に伴い、現代人は体を使う機会が以前よりも減っているため運動不足となりやすく、様々な成人病にかかる機会が増えている。
【０００３】
運動不足により様々な成人病にかかる他、姿勢が悪いことにより慢性的な痛みが体に発生し易くなる。慢性的な体の痛みの主な原因としては、好ましくない動作及び姿勢により骨格・筋肉の平衡が失われることであることが多い。人類は、四足歩行から直立二足歩行に進化し、両足で直立したり、直立二足歩行する際、骨格と筋肉との調和の代替補償作用により平衡を維持することができる。このため、人の身体は、両足で立っても傾かず、両足で直立歩行し続けることができる。
【０００４】
前述した代替補償作用とは、様々な骨格、筋肉間の交互作用である。骨格、筋肉間の交互作用により人類が立っている際、或いは、歩いている際、好ましくない動作及び姿勢により骨格・筋肉が平衡を失い、前述したような慢性的な体の痛み又は各種筋肉痛を引き起こす虞れがある。
【０００５】
現代医学は高度に発達している。しかし、前述したような体の慢性的な痛み及び各種筋肉痛は、人体全体の代替補償作用から生じるため、関連分野の医学技術による薬物による対症療法では改善が困難である。また、好ましくない動作及び姿勢を防いだとしても筋肉痛や前述したような慢性的な体の痛みを防ぐことはできなかった。
【０００６】
慢性的な体の痛みは人を不快にする。最も理想的な状態は、後足部（かかと部）と前足部（踏み付け部）とが受ける力を均等にし、体の重心が足裏の中心に位置するようにし、骨格及び筋肉システムにより、立ったり歩いたりするときにも平衡が保てるようにすることである。しかし、自然な状況下では、体の重心が靴の設計により影響されて後方へ移動したり前方へ移動したりしてしまう虞があった。重心が後ろに移動する場合、体重が後足部に多くかかってしまい、後足部が痛くなったり靴の踵が摩損する。一方、重心が前方へ移動する場合、体の重心が前足部へ移動し、歩くときに前傾姿勢となり易い。
【０００７】
上述したような問題点に対する従来の改善方式としては、靴の構造中にクサビ形状物を加える方式、或いは、靴の後足領域に形成した孔に柔らかくて弾性を有する材料を充填する方式、或いは、後足部に対応する形状に設計する方式等がある。。しかし、前述したような従来の改善方式では、後足部又は前足部が受ける力が増大してしまい、改善は困難であった。このような原因としては、前述したクサビ形状物、柔軟材料、又は、後足領域に対応した形状に成形することで動作姿勢が悪くなる状態を変えることができるが、後足部及び前足部に加わる力が平衡でないため後足部又は前足部に加わる圧力を減らすことは依然として困難であった。
【発明の概要】
【発明が解決しようとする課題】
【０００８】
本発明の目的は、ユーザが立ったときの体の重心がインソール本体上のメイン平衡部材に位置し、メイン平衡部材をユーザの前足部及び後足部のインソール本体の梃子支点として用い、インソール本体上に配設した力量変位補助部材及び補助平行部材を利用し、ユーザの体重をインソール本体上で分散させ、ユーザが立っている状態、或いは、歩いている状態において、体重を足部へ均等に分散させ、好ましくない姿勢による不具合を防ぐ、足部平衡装置を提供することにある。
【課題を解決するための手段】
【０００９】
上記課題を解決するために、本発明の第１の形態によれば、インソール本体、メイン平衡部材、第１の力量変位補助部材、第２の力量変位補助部材、第１の補助平衡部材、第３の力量変位補助部材、第２の補助平衡部材及び第３の補助平衡部材を備えた足部平衡装置であって、前記インソール本体は、足部接触面及び設置面を有し、長手方向に前足領域、中足領域及び後足領域が順次形成されており、前記メイン平衡部材は、突出部として成形されて前記中足領域に配設され、ユーザの前足部及び後足部が前記インソール本体上の梃子支点として用いられ、前記第１の力量変位補助部材は、突出部として成形されて前記中足領域に配設され、前記メイン平衡部材に隣接するように前記後足領域に位置し、前記第２の力量変位補助部材は、突出部として成形されて前記中足領域に配設され、前記メイン平衡部材と前記第１の力量変位補助部材とを結ぶ線上に位置し、前記第１の補助平衡部材は、突出部として成形されて前記中足領域に配設され、前記メイン平衡部材に隣接するように設けられてユーザの横方向の前記中足部を支え、前記第３の力量変位補助部材は、突出部として成形されて前記中足領域に配設され、前記第１の補助平衡部材と前記メイン平衡部材との間に位置し、前記第２の補助平衡部材は、突出部として成形されて前記中足領域に配設され、前記メイン平衡部材の一方側に位置してユーザの内側の前記中足部を支え、前記第３の補助平衡部材は、突出部として成形されて前記中足領域に配設され、前記メイン平衡部材の他方側に位置してユーザの外側の前記中足部を支えることを特徴とする足部平衡装置が提供される。
【００１０】
上記課題を解決するために、本発明の第２の形態によれば、インソール本体及びメイン平衡部材を備えた足部平衡装置であって、前記インソール本体は、足部接触面及び設置面を有し、長手方向に前足領域、中足領域及び後足領域が順次形成されており、前記メイン平衡部材は、突出部として成形されて前記中足領域に配設され、ユーザの前足部及び後足部が前記インソール本体上の梃子支点として用いられることを特徴とする足部平衡装置が提供される。
【発明の効果】
【００１１】
本発明の足部平衡装置は、以下（１）及び（２）の効果を有する。
（１）ユーザの体重が足部に自然に分散され、ユーザは理想的な状態で立ったり歩いたりすることができる。
（２）体の姿勢が悪いことにより筋肉痛又は慢性的な体の痛みが生じることを防ぐことができる。
【図面の簡単な説明】
【００１２】
【図１】図１は、本発明の第１実施形態に係る足部平衡装置を示す斜視図である。
【図２】図２は、本発明の第１実施形態に係る足部平衡装置を靴内に設置したときの状態を示す説明図である。
【図３】図３は、本発明の第１実施形態に係るメイン平衡部材のみを有する足部平衡装置を示す斜視図である。
【図４】図４は、本発明の第１実施形態に係る歩くときの理想的な足部重心移動線を示す説明図である。
【図５】図５は、図１の足部平衡装置が接続部材を有する状態を示す説明図である。
【図６】図６は、本発明の第２実施形態に係る足部平衡装置を示す斜視図である。
【図７】図７は、図６の足部平衡装置が接続部材を有する状態を示す説明図である。
【図８】図８は、本発明の第３実施形態に係る足部平衡装置を示す斜視図である。
【図９】図９は、図８の足部平衡装置が接続部材を有する状態を示す説明図である。
【図１０】図１０は、本発明の第４実施形態に係る足部平衡装置を示す斜視図である。
【図１１】図１１は、図１０の足部平衡装置が接続部材を有する状態を示す説明図である。
【図１２】図１２は、本発明の第５実施形態に係る足部平衡装置を示す斜視図である。
【図１３】図１３は、図１２の足部平衡装置が接続部材を有する状態を示す説明図である。
【発明を実施するための形態】
【００１３】
以下、本発明の実施形態について図に基づいて説明する。なお、これによって本発明が限定されるものではない。
【００１４】
（第１実施形態）
図１を参照して第１実施形態を説明する。
図１に示すように、本発明の第１実施形態に係る足部平衡装置は、少なくともインソール本体１０、メイン平衡部材２０、第１の力量変位補助部材３１、第２の力量変位補助部材３２、第３の力量変位補助部材３３、第１の補助平衡部材４１、、第２の補助平衡部材４２、及び第３の補助平衡部材４３から構成される。
【００１５】
図２に示すように、インソール本体１０は、破線に示す靴の中底上に設置される。インソール本体１０は、人体の足部裏面（以下、足裏と記載する）と靴の中底との間に配置されて緩衝構造として用いられる。インソール本体１０の形状は、靴中底面の形状と合致している。インソール本体１０の上表面は、人体の足裏と接触する足部接触面１１であり、インソール本体１０の下表面は靴中底面に接触する設置面１２である。
【００１６】
図１に示すようにインソール本体１０には、長手方向に前足領域１３、中足領域１４及び後足領域１５が順次形成されている。人体の足裏がインソール本体１０の足部接触面１１に接触する際、インソール本体１０の前足領域１３には人体足部の前足部が接触し、中足領域１４には人体足部の中側部が接触しし、後足領域１５には人体足部の後足部が接触する。
【００１７】
図１及び図２に示すように、前述したメイン平衡部材２０、力量変位補助部材３１，３２，３３及び補助平衡部材４１，４２，４３は、それぞれ突出部として成形されている。突出部の表面は、円弧面、半円弧面、又は、不規則面に形成されている。前述したメイン平衡部材２０、各力量変位補助部材３１，３２，３３及び各補助平衡部材４１，４２，４３は、インソール本体１０の足部接触面１１又は設置面１２に配設される。
健康な人の足部は、前足領域１３の第１中足骨、第５中足骨及び後足領域１５を３つの支持点として用いるが、土踏まずがアーチ型の形状を有しているため効果的に支えることは困難である。前述したメイン平衡部材２０、各力量変位補助部材３１，３２，３３及び各補助平衡部材４１，４２，４３がインソール本体１０の中足領域１４に配設されており、ユーザは立ったり歩いたりするときに自然にバランスをとり、正しい姿勢にすることができるようになっている。
【００１８】
図３に示すように、メイン平衡部材２０は、インソール本体１０の第１中足骨点Ｐ１、第５中足骨点Ｐ２、踵点Ｐ３間の幾何学的中心に位置する。メイン平衡部材２０は、人が立っているときの重心に位置し、ユーザの前足部及び後足部がインソール本体１０の梃子支点として用いられる。実際に使用する際、メイン平衡部材２０のみがインソール本体１０上に配設されてもよい。  
第１中足骨点Ｐ１は、ユーザの足部の第１中足骨に対応するように位置する。第５中足骨点Ｐ２は、ユーザの足部の第５中足骨に対応するように位置する。踵点Ｐ３は、ユーザの足部の後足部に対応するように位置する。
【００１９】
図４は、本発明の第１実施形態に係る歩くときの理想的な足部重心移動線Ｌを示す説明図である。  
図４に示すように、人が両足で直立歩行するとき、足部重心移動線Ｌで示すようにまず、後足領域１５が先に着地してから、体の重心が後足領域１５の外側に沿って足指に向かって移動し、その後、第５中足骨に近い箇所から内側に向かって第１中足骨へ移動し、最終的に親指の前端へ移動する。このように、人が歩くとき、体の重心が理想的な足部重心移動線Ｌに沿って移動するため、ユーザは理想的な歩行状態を得て、好ましい姿勢を維持することができる。
図３に示すように、メイン平衡部材２０がインソール本体１０の第１中足骨点Ｐ１、第５中足骨点Ｐ２、踵点Ｐ３の三点間の幾何学的中心に配設されるため、人が立った状態では、体の重心がメイン平衡部材２０により確保され、歩いている状態では先に地面に接する後足領域１５と、後から地面に接する前足領域１３との間で梃子支点として用いられる。
【００２０】
また、図１、図２に示すようにメイン平衡部材２０の周囲には、力量変位補助部材３１，３２，３３が設置されている。したがって、ユーザが歩くときに重心が移動すると圧力の重心も円滑に移動し、各力量変位補助部材３１，３２，３３の補助により自然に体のバランスがとれた位置に維持される。この結果、好ましくない動作及び姿勢となることを防いで、筋肉痛及び慢性的な体の痛みが発生することを防ぐことができる。また、メイン平衡部材２０の周囲に補助平衡部材４１，４２，４３を増設することによって、ユーザの横方向の中足部、内側の中足部及び外側の中足部を支え、中足部を強固に支えることができる。
【００２１】
図１に示すように、前述した第１の力量変位補助部材３１は、メイン平衡部材２０の長手方向踵側である図中下方に隣接するように後足領域１５側に設けられる。第２の力量変位補助部材３２は、メイン平衡部材２０と第１の力量変位補助部材３１とを結ぶ線上に設置される。第１の補助平衡部材４１は、メイン平衡部材２０の長手方向爪先側である図中上方に隣接するように設けられ、ユーザの横方向の中足部を支える。第３の力量変位補助部材３３は、第１の補助平衡部材４１とメイン平衡部材２０との間に設けられる。第２の補助平衡部材４２は、メイン平衡部材２０の一方側である図中右側に設けられ、ユーザの内側の中足部を支える。第３の補助平衡部材４３は、メイン平衡部材２０の他方側である図中左側に設けられ、ユーザの外側の中足部を支える。
【００２２】
前述したメイン平衡部材２０、力量変位補助部材３１，３２，３３及び補助平衡部材４１，４２，４３は、インソール本体１０上に配設される。図５に示すように、接続部材５０を増設してメイン平衡部材２０、力量変位補助部材３１，３２，３３及び補助平衡部材４１，４２，４３を一つの突出構造に成形してもよい。
具体的に、互いに隣接したメイン平衡部材２０、力量変位補助部材３１，３２，３３及び補助平衡部材４１，４２，４３を接続部材５０により接続し、メイン平衡部材２０と、力量変位補助部材３１，３２，３３及び補助平衡部材４１，４２，４３とを一体化する。即ち、メイン平衡部材２０と第２の力量変位補助部材３２、第３の力量変位補助部材３３、第２の補助平衡部材４２、及び、第３の補助平衡部材４３との間に接続部材５０をそれぞれ配設し、第１の力量変位補助部材３１と第２の力量変位補助部材３２との間に接続部材５０を配設し、第１の補助平衡部材４１と第３の力量変位補助部材３３との間にも接続部材５０を配設する。
【００２３】
（第２実施形態）
図６に示す第２実施形態のように３つの突出部を利用してユーザの身体の平衡を維持するようにしてもよい。例えば、メイン平衡部材２０、第１の力量変位補助部材３１及び第１の補助平衡部材４１をインソール本体１０上の中足領域１４に配設する。  
また、図７に示すように、メイン平衡部材２０と、第１の力量変位補助部材３１及び第１の補助平衡部材４１との間に接続部材５０を選択的に配置し、接続部材５０によりメイン平衡部材２０と第１の力量変位補助部材３１及び第１の補助平衡部材４１とを接続して一体化してもよい。
【００２４】
（第３実施形態）
図８に示す第３実施形態のように、インソール本体１０上の中足領域１４にメイン平衡部材２０及び２つの補助平衡部材４２，４３を配設し、メイン平衡部材２０をユーザの前足部及び後足部の梃子支点として用いるとともに、補助平衡部材４２，４３により内外の中足部を支えてもよい。  
また、図９に示すように、メイン平衡部材２０と、２つの補助平衡部材４２，４３との間に接続部材５０を選択的に配置し、接続部材５０によりメイン平衡部材２０と２つの補助平行部材４２、４３とを接続して一体化してもよい。
【００２５】
（第４実施形態）
図１０に示す第４実施形態のように、５つの突出部を利用してユーザの身体の平衡を維持するようにしてもよい。例えば、メイン平衡部材２０、第１の力量変位補助部材３１、第２の力量変位補助部材３２、第３の力量変位補助部材３３及び第１の補助平衡部材４１を中足領域１４に配設し、メイン平衡部材２０をユーザの前足部及び後足部の梃子支点として用い、第１の補助平衡部材４１をメイン平衡部材２０の図中上方の前足領域１３に配設し、ユーザの横方向の中足部を支えてもよい。第１の力量変位補助部材３１は、メイン平衡部材２０の図中下方に隣接するように後足領域１５側に位置する。第２の力量変位補助部材３２は、メイン平衡部材２０と第１の力量変位補助部材３１とを結ぶ線上に位置する。第３の力量変位補助部材３３は、第１の補助平衡部材４１とメイン平衡部材２０との間に位置する。
【００２６】
また、図１１に示すように、メイン平衡部材２０と、力量変位補助部材３１，３２，３３及び第１の補助平衡部材４１とのそれぞれの間に接続部材５０を配設して、接続部材５０により一体化してもよい。
【００２７】
（第５実施形態）
図１２に示す第５実施形態ように、メイン平衡部材２０、第１の力量変位補助部材３１、第１の補助平衡部材４１、第２の補助平衡部材４２及び第３の補助平衡部材４３が中足領域１４に配設され、メイン平衡部材２０を使用するユーザの前足部及び後足部の梃子支点を利用してもよい。第１の力量変位補助部材３１は、メイン平衡部材２０の図中下方に隣接するように後足領域１５側に位置する。第１の補助平衡部材４１は、メイン平衡部材２０の図中上方に位置してユーザの横方向の中足部を支える。第２の補助平衡部材４２及び第３の補助平衡部材４３は、メイン平衡部材２０の左側、右側にそれぞれ位置し、ユーザの内側の中足部及び外側の中足部をそれぞれ支える。
【００２８】
図１３に示すように、メイン平衡部材２０と、第１の力量変位補助部材３１、第１の補助平衡部材４１、第２の補助平衡部材４２及び第３の補助平衡部材４３との間に接続部材５０を配設し、接続部材５０によりメイン平衡部材２０と、第１の力量変位補助部材３１、第１の補助平衡部材４１、第２の補助平衡部材４２及び第３の補助平衡部材４３とを接続して一体化してもよい。
【００２９】
本発明の上述した実施形態に係る足部平衡装置は、各種靴内に使用可能なため、一般大衆の足形に適用することができる。メイン平衡部材２０をインソール本体１０の第１中足骨点Ｐ１、第５中足骨点Ｐ２、踵点Ｐ３間の幾何学的中心に配設する。メイン平衡部材２０は、人が立ったときの体の重心に位置し、ユーザの前足部及び後足部をインソール本体１０上の梃子支点として用い、メイン平衡部材２０の断面積の残部の力が力量変位補助部材３１，３２，３３及び各補助平衡部材４１，４２，４３の断面積に伝わる。
【００３０】
また、力量変位補助部材３１，３２，３３を設置する相対位置を微調整することにより、歩くときの体の重心を理想的な状態となるように円滑に移動させ、歩くときの重心が移動するときに身体のバランスを保つことをアシストする。各補助平衡部材４１，４２，４３によりユーザの横向きの中足部及び内外側の中足部を支え、足部が力を受けたときに支えて圧力を分散させ、ユーザの快適度を高めることができる。
【００３１】
上述した実施形態から分かるように、本発明の足部平衡装置は、必要に応じてメイン平衡部材２０を配設したり、異なる数の力量変位補助部材３１，３２，３３及び補助平衡部材４１，４２，４３を配設したりしてもよい。例えば、７個、５個、３個又は１個の突出部を設けて身体のバランスを維持する同様の効果を得て、全体的に歩くときの足部が好ましいモーメント力を得て、動的及び静的な平衡度及び快適度を維持することができる。この結果、身体の姿勢が好ましくないために生じる筋肉痛又は慢性的な体の痛みを防ぐことができる。
【００３２】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３３】
１０  インソール本体
１１  足部接触面
１２  設置面
１３  前足領域
１４  中足領域
１５  後足領域
２０  メイン平衡部材
３１  第１の力量変位補助部材
３２  第２の力量変位補助部材
３３  第３の力量変位補助部材
４１  第１の補助平衡部材
４２  第２の補助平衡部材
４３  第３の補助平衡部材
５０  接続部材
Ｐ１  第１中足骨点
Ｐ２  第５中足骨点
Ｐ３  踵点
Ｌ  理想的な足領域重心移動線
【図１】
2016140765.tif 000003
【図２】
2016140765.tif 000004
【図３】
2016140765.tif 000005
【図４】
2016140765.tif 000006
【図５】
2016140765.tif 000007
【図６】
2016140765.tif 000008
【図７】
2016140765.tif 000009
【図８】
2016140765.tif 000010
【図９】
2016140765.tif 000011
【図１０】
2016140765.tif 000012
【図１１】
2016140765.tif 000013
【図１２】
2016140765.tif 000014
【図１３】
2016140765.tif 000015